(57)【要約】本発明はアンテナに関し、当該アンテナは、第１の電気伝導性面（１２０）を有し、接地面を形成しかつ該第１の電気伝導性面に平行である第２の電気伝導性面（１４０）を有し、ジェネレータ／レシーバの第１の端子を該第１の面（１２０）に接続する第１の電気伝導性給電ベルトまたはワイヤ（１５０）を有し、該第２の面（１４０）は該ジェネレータ／レシーバの第２の端子に接続されており、該２つの面（１２０，１４０）を接続する少なくとも１つの第２の電気伝導性ワイヤまたはリボン（１６０）を有する。当該アンテナは、第１の面（１２０）がブランク（１２２）または一連のブランク（１２２）を有し、各ブランクが必要に応じて相互に延びるセクションからなることを特徴とする。該ブランク（１２２）は、第１の面（１２０）の縁部の部分の近傍でそれに沿って延び、該ブランクは、第１の面（１２０）の内側領域（１２６）をこの領域（１２６）の周縁部の大部分を実質的に形成することによって定めるのに十分に広く、それによって、多周波ワイヤプレート動作を得る。【選択図】図２
2004531152.tif 000002
【特許請求の範囲】
【請求項１】
ワイヤプレートアンテナであって、
第１の電気伝導性面（１２０）を有し、
第２の電気伝導性面（１４０）を有し、該第２の電気伝導性面は、接地面を形成し、かつ、該第１の面に平行であり、
第１の電気伝導性給電ワイヤまたはストリップ（１５０）を有し、該第１の電気伝導性給電ワイヤまたはストリップは、ジェネレータ／レシーバの第１の端子を該第１の面（１２０）に接続しており、
該第２の面（１４０）は、該ジェネレータ／レシーバの第２の端子に接続されており、
少なくとも１つの第２の電気伝導性ワイヤまたはストリップ（１６０）を有し、該少なくとも１つの第２の電気伝導性ワイヤまたはストリップは、該２つの面（１２０，１４０）を接続しており、
その特徴が、
該第１の面（１２０）は、カットアウトスロット（１２２）、または一連のカットアウトスロット（１２２）を有し、各カットアウトスロットは、相互に延びるセクションから形成されてもよく、該カットアウトスロット（１２２）は、この第１の面（１２０）の縁部の近くまでこの縁部に沿って延びており、この縁部は、該カットアウトスロット（１２２）が該第１の面（１２０）の内側領域（１２６）の周縁部の大部分を実質的に形成することによってこの領域（１２６）を定めるのに十分に広く、それによって、多周波動作を達成することである、
前記ワイヤプレートアンテナ。
【請求項２】
第１の面のカットアウトスロットが、その（それらの）長さおよび動作波長と比較して非常に小さい幅を有することを特徴とする、請求項１に記載のアンテナ。
【請求項３】
第１の面（１２０）と第２の面（１４０）とを接続する少なくとも１つの第２の電気伝導性ワイヤまたはストリップ（１６０）が、領域（１２６）内で、好ましくは、アンテナの中央で、該第１の面（１２０）と接触しており、該領域が、カットアウトスロット（１２２）によって大部分は取り囲まれていることを特徴とする、請求項１または２に記載のアンテナ。
【請求項４】
ジェネレータ／レシーバの第１の端子を第１の面（１２０）に接続する第１の電気伝導性給電ワイヤまたはストリップ（１５０）が、領域（１２６）内でこの第１の面と接触しており、該領域が、カットアウトスロット（１２２）によって大部分は取り囲まれていることを特徴とする請求項１〜３のいずれか１項に記載のアンテナ。
【請求項５】
第１の面（１２０）および第２の面（１４０）が、一方が他方と向かい合いかつ互いに平行に配置されていること、第１（１５０）および第２（１６０）の電気伝導性ワイヤまたはストリップが、一方が他方と平行にかつ該２つの面の平面に対して垂直に延びていること、およびカットアウトスロット（１２２）または一連のカットアウトスロット（１２２）が、これらの２つの導電性ワイヤまたはストリップ（１５０，１６０）を通過する幾何学平面に関して完全に対称である２つのデザインを形成することを特徴とする、請求項１、３および４のいずれかに記載のアンテナ。
【請求項６】
第１の面（１２０）が、２つのセクション（１２２）から形成されるカットアウトスロットを有し、各セクションがＣの形状を有し、該セクションの開口部分が互いに向かい合うことを特徴とする、請求項１〜５のいずれか１項に記載のアンテナ。
【請求項７】
２つのセクション（１２２）が、これらの２つのセクション（１２２）間を通過する第１の幾何学平面に関して互いに対称であること、および各セクション（１２２）が、これらの２つのカットアウトスロットの中央を通過する第２の幾何学平面に関して、それ自体と対称であることを特徴とする、請求項６に記載のアンテナ。
【請求項８】
第１の面（１２０）が少なくとも２つのカットアウトスロット（１２２）を有しており、各カットアウトスロットがそれぞれの形状を有し、該それぞれの形状が、これら２つのカットアウトスロット（１２２）がワイヤプレート様式において電磁効果の２つのピークを生じるのに十分に類似しており、該２つのピークが同じ周波数で混ざり合っていることを特徴とする、請求項１〜７のいずれか１項に記載のアンテナ。
【請求項９】
第１の面（１２０）が少なくとも２つのカットアウトスロット（１２２）を有すること、およびこれらの２つのカットアウトスロット（１２２）がそれぞれの形状を有し、該それぞれの形状が、これら２つのカットアウトスロット（１２２）がワイヤプレート様式において２つの電磁有効動作ピーク効果を生じるのに十分に類似しており、該ピークは周波数が重複しており、これによって、広い有効動作周波数バンドを形成することを特徴とする、請求項１〜４および６のいずれか１項に記載のアンテナ。
【請求項１０】
第１の面（１２０）が少なくとも２つのカットアウトスロット（１２２）を有しており、該カットアウトスロットが、これらのカットアウトスロット（１２２）がワイヤプレート様式においてアンテナの少なくとも２つの有効動作周波数領域を生じるのに十分に異なる形状を有し、該領域が互いに重複しないことを特徴とする、請求項１〜４および６のいずれか１項に記載のアンテナ。
【請求項１１】
第１の面（１２０）が任意のタイプの形状によって定められていること、およびカットアウトスロット（１２２）がこの形状の縁部に対して平行のままであることを特徴とする、請求項１〜１０のいずれか１項に記載のアンテナ。
【請求項１２】
接地面を形成する面の１つが、第１の面（１２０）と同じタイプのカットアウトスロットを１つ以上有することを特徴とする、請求項１〜１１のいずれか１項に記載のアンテナ。
【請求項１３】
第１の面（１２０）と第２の面（１４０）とが実質的に同一であること、および、従って、カットアウトスロットが接地面（１４０）を形成する該第２の面に存在することを特徴とする、請求項１２に記載のアンテナ。
【請求項１４】
第２の面（１４０）が第１の面（１２０）よりも顕著に大きいことを特徴とする、請求項１２に記載のアンテナ。
【請求項１５】
接地面（１４０）を形成する面と第１の面（１２０）との間に、および、該２つの面の上方にも、１つ以上の誘電体層または磁性体層（１３０）（レーダードーム）を有することを特徴とする、請求項１〜１４のいずれか１項に記載のアンテナ。
【請求項１６】
当該アンテナが重ね合わさった上面部分と中間平面とを有し、カットアウトスロット（１２２）が任意の中間平面に作製され、剛性または同調性のために誘電体材料または磁性材料が挿入されていることを特徴とする、請求項１〜１５のいずれか１項に記載のアンテナ。
【発明の詳細な説明】
【技術分野】
【０００１】
本発明は、アンテナの分野、より詳細には、ワイヤプレートアンテナ(wire-plate antenna)の分野に関する。
【背景技術】
【０００２】
図１に示すように、原則として任意の形状を有する金属プレート１２０（アンテナの容量性上面部分）と、このプレートをその上面に有する誘電体層１３０と、誘電体層の下部の金属化（メタライゼーション）によって作製される接地面１４０とからなるワイヤプレートアンテナは公知である。
【０００３】
このようなアンテナの給電は、典型的には、接地面１４０を通過する同軸ライン１５０によって実現され、この同軸ラインの内部導体１５２は金属上面部分１２０に接続されており、外部導体１５４は接地面１４０に接続されている。このようなアンテナの特有の特徴は、容量性上面部分１２０と接地面１４０とを接続し、接地へのアクティブ金属戻り(active metal return)を形成するワイヤ１６０を有することである。
【０００４】
接地戻り(return-to-ground)ワイヤ１６０は、パッチの「基本」周波数よりも小さい周波数で「並列」共振を生じさせる。
【０００５】
この並列共振は、接地戻りワイヤ（誘導効果λ）および容量性上面部分によって形成される共振器の自己インダクタンスＬと静電容量Ｃとの間のエネルギー交換によるものである。
【０００６】
次いで、共振周波数が得られ、以下のタイプの、アンテナの整合の範囲を与える。
【０００７】
【数１】
2004531152.tif 000003
【０００８】
この周波数に影響を与える物理パラメーターは、誘電体基板の誘電率εｒ、その高さ（上面部分と接地面との間の距離）、給電ライン１５０の半径、接地戻りワイヤ１４０の半径、給電ライン１５０と接地戻りワイヤ１６０との間の距離、ならびに上面部分１２０および接地面１４０の寸法である。
【０００９】
可能な構成の数が多くなるにつれ、この多数のパラメーターは増加し、性能仕様を満たすようアンテナを最適化することが可能となる。
【００１０】
ワイヤプレートアンテナの放射は、主として戻りワイヤ１６０から生じ、接地面に対して垂直な単極からの放射の典型的な特徴を示し、この特徴的な放射は、接地面に関して全方向の方位放射であり、この面に対して垂直にほとんどゼロである。
【００１１】
従って、このようなアンテナは、回転対称性のローブを有する放射パターンを示し、接地面に対してほぼ平行に向かって最大放射であり、給電ワイヤおよび戻りワイヤの軸において最小放射である。接地面に対して垂直な単極の典型的放射に従う。有限接地面の場合、接地面１４０の中断による回折の影響は、放射パターンのひずみおよび逆方向放射を導入することに注目すべきである。
【００１２】
従って、ワイヤプレートアンテナの動作は、「共振アンテナ」として知られる別のタイプのアンテナの動作とは非常に異なる。これは、これらの「共振アンテナ」に関して言及される共振が、電磁型の共振（共振モード）であり、ワイヤプレートアンテナの場合である電気型の共振ではないからである。これは、ワイヤプレートアンテナでは、共振エレメント（素子）が電気部品と同様にローカライズされているからである。
【００１３】
電気共振による動作および電気部品と同様の構造体の使用によって、波長よりもかなり小さい寸法を有し、かつ、いかなる場合でも、「共振アンテナ」の最小寸法よりも小さい寸法を有するワイヤプレートアンテナが得られる。
【００１４】
従って、ワイヤプレートアンテナの動作は、「共振アンテナ」と呼ばれるアンテナを制御する電磁共振動作とは非常に異なる。
【００１５】
ワイヤプレートアンテナの動作は、それらを特に当業者に公知の「マイクロストリップ(microstrip)」または「マイクロスロット(microslot)」アンテナと区別する。
【発明の開示】
【００１６】
公知のアンテナを性能仕様に最も良好に適合させるよう物理パラメーターを選択する際に多数の可能性が存在するにもかかわらず、実際、所望の多帯域（マルチバンド）、多機能挙動に従って、その構築段階でより一層容易に構造化可能なアンテナを有することが望ましい。
【００１７】
この目的は、本発明に従って、以下のアンテナによって達成される。当該アンテナは、
第１の電気伝導性面を有し、
第２の電気伝導性面を有し、該第２の電気伝導性面は、接地面を形成し、かつ、該第１の面に平行であり、
第１の電気伝導性給電ワイヤまたはストリップ（帯板）を有し、該第１の電気伝導性給電ワイヤまたはストリップは、ジェネレータ／レシーバの第１の端子を該第１の面に接続しており、
該第２の面は、該ジェネレータ／レシーバの第２の端子に接続されており、
少なくとも１つの第２の電気伝導性ワイヤまたはストリップを有し、該少なくとも１つの第２の電気伝導性ワイヤまたはストリップは、該２つの面を接続しており、
その特徴が、
該第１の面は、カットアウトスロット(cutout-slot)、または一連のカットアウトスロットを有し、各カットアウトスロットは、相互に延びるセクションから形成されてもよく、該カットアウトスロットは、この第１の面の縁部の近くまでこの縁部に沿って延びており、この縁部は、該カットアウトスロットが該第１の面の内側領域の周縁部の大部分を実質的に形成することによってこの領域を定めるのに十分に広く、それによって、多周波動作を達成することである。
【００１８】
これらのカットアウトスロットは、異なる静電容量を生じさせ、該異なる静電容量は、前述の式に従ってワイヤプレートアンテナの異なる共振周波数を引き起こす。
【００１９】
ワイヤプレート放射（即ち、全方向の方位）を保持することはまた、このアンテナを文献で出会うアンテナと区別し、このアンテナについて、ワイヤプレートアンテナの場合、特に本発明のワイヤプレートアンテナの場合、面のカットアウトスロットは、この面に対して垂直な軸において最大であるが、この方向であまり弱くない放射で放射する。
【００２０】
有利には、第１の面は、その長さおよびピックアップされる主要波長に対して非常に小さい幅（好ましくは、この長さの１／１０）のカットアウトスロットを有する。いくつか、例えば、２より多い数のカットアウトスロットが存在してもよい。
【００２１】
有利ではあるが、非限定の配置によれば、
第１の面のカットアウトスロットは、その（それらの）長さおよび動作波長と比較して非常に小さい幅を有する；
第１の面と第２の面とを接続する少なくとも１つの第２の電気伝導性ワイヤまたはストリップは、領域内で、好ましくは、アンテナの中央で、該第１の面と接触しており、該領域は、カットアウトスロットによって大部分は取り囲まれている；
ジェネレータ／レシーバの第１の端子を第１の面に接続する第１の電気伝導性給電ワイヤまたはストリップは、領域内でこの第１の面と接触しており、該領域は、カットアウトスロットによって大部分は取り囲まれている；
第１の面および第２の面は、一方が他方と向かい合いかつ互いに平行に配置されており、第１および第２の電気伝導性ワイヤまたはストリップは、一方が他方と平行にかつ該２つの面の平面に対して垂直に延びており、およびカットアウトスロットまたは一連のカットアウトスロットは、これらの２つの導電性ワイヤまたはストリップを通過する幾何学平面に関して完全に対称である２つのデザインを形成する；
第１の面は、２つのセクションから形成されるカットアウトスロットを有し、各セクションはＣの形状を有し、該Ｃ形状の一方の開口部分は他方の開口部分と向かい合う；
２つのセクションは、これらの２つのセクション間を通過する第１の幾何学平面に関して互いに対称であり、および各セクションは、これらの２つのカットアウトスロットの中央を通過する第２の幾何学平面に関して、それ自体と対称である；
第１の面は少なくとも２つのカットアウトスロットを有しており、各カットアウトスロットはそれぞれの形状を有し、該それぞれの形状は、これら２つのカットアウトスロットがワイヤプレート様式において電磁効果の２つのピークを生じるのに十分に類似しており、該２つのピークは同じ周波数で混ざり合っている；
第１の面は少なくとも２つのカットアウトスロットを有しており、およびこれらの２つのカットアウトスロットはそれぞれの形状を有し、該それぞれの形状は、これら２つのカットアウトスロットがワイヤプレート様式において２つの電磁有効動作ピークを生じるのに十分に類似しており、該ピークは周波数が重複しており、これによって、広い有効動作周波数バンドを形成する；
第１の面は少なくとも２つのカットアウトスロットを有しており、該カットアウトスロットは、これらのカットアウトスロットがワイヤプレート様式においてアンテナの少なくとも２つの有効動作周波数領域を生じるのに十分に異なる形状を有し、該領域は互いに重複しない；
第１の面は任意のタイプの形状によって定められており、およびカットアウトスロットはこの形状の縁部に対して平行のままである；
接地面を形成する面の１つは、第１の面と同じタイプのカットアウトスロットを１つ以上有する；
面は実質的に同一であり、そして、カットアウトスロットが接地面に存在するという事実に基づいて同じ動作が観察される；
接地面は第１の面よりも顕著に大きく、発生する周波数は同じであるが、接地面の存在のせいで、放射パターンは異なる；
当該アンテナは、接地面を形成する面と第１の面との間に、および、該２つの面の上方にも、１つ以上の誘電体層または磁性体層（レーダードーム）を有する；
当該アンテナは重ね合わさった上面部分と中間平面とを有し、カットアウトスロットは任意の中間平面に作製され、剛性または同調性または小型化のために誘電体材料または磁性材料が挿入されている。
【００２２】
本発明の他の特徴、目的および利点は、添付の図面に関してなされる以下の詳細な説明を読めば明白になるであろう。
【００２３】
図２のアンテナは、図１の公知のアンテナの主要なエレメントを採用する。
【００２４】
それは、一連の直線セグメントによって定められる、任意の形状（多面体、円形など）の上面部分１２０を有する。
【００２５】
しかし、この場合、容量性上面部分１２０は、この容量性上面部分の縁部に沿って延びるカットアウトスロット１２２を有し、これによって、上面部分の縁部領域１２４と上面部分１２０の中央領域１２６との間に境界が形成される。
【００２６】
このカットアウトスロットは、ぐるっと回ってそれ自体に戻って来る形態であるが、上面部分の縁部の短いストレッチで中断されており、その結果、ほぼＣの形状を描く。より詳細には、それが描くＣは、一連の直線部分からなり、各直線部分は、容量性上面部分の対応する直線の縁部に平行であり、金属のストリップが外部のアンテナを励磁する状態にしておくために、カットアウトスロットは閉鎖されてはならない。
【００２７】
アンテナは、接地ワイヤ１６０と給電ライン１５０とを有し、これらは、アンテナに対して直交して延び、Ｃ形状のカットアウトスロットによって取り囲まれた部分で上面部分１２０と接触する。
【００２８】
このようなカットアウトスロットまたはスロット１２２を採用することによって、２つの容量性効果が、１つは上面部分の縁部１２４（スロットの外側部分）で、他方は上面部分の内側部分１２６で生じる。
【００２９】
このようなカットアウトスロット１２２の付加によって、典型的には、λｆ／２の近接波長でアンテナの付加的な共振が作り出され、ここで、λｆは、スロットの全長に対応する。
【００３０】
従って、本発明のアンテナは、２つの共振を、１つは、容量性上面部分としてカットアウトスロット１２２の内側に領域１２６を有するワイヤプレートアンテナの波長に対応する波長λにおいて、他方の共振は、カットアウトスロット１２２の存在によって生じるより小さい波長λｆ／２において、生じさせる。
【００３１】
このアンテナは、これらの２つの共振周波数でワイヤプレート型の放射を示す。
【００３２】
より詳細には、カットアウトスロット１２２の存在は、電磁挙動に影響を及ぼす新たな物理パラメーター、すなわち、容量性上面部分の平面に対して平行にかつカットアウトスロット１２２を横断して測定したカットアウトスロット１２２の幅、上面部分上のカットアウトスロット１２２の位置、給電ワイヤ１５０に対するおよび戻りワイヤ１６０に対するカットアウトスロット１２の位置、およびカットアウトスロットの長さ、を導入する。
【００３３】
次いで、これらの物理パラメーターは、アンテナの挙動に通常影響を及ぼす物理パラメーターを補足し、アンテナを想定した用途により良好に適合させることを可能にするアンテナの可能な構成の数を、特に、二重共振によって増加させる。
【００３４】
後で分かるように、スロットは、共振する（アンテナが整合されることを可能とする）が、顕著には放射しない（放射はワイヤプレートの放射を維持するので）。
【００３５】
図３の実施態様では、アンテナは、直径λ／３のディスク形状の接地面１４０を有し、ここでλは、同じアンテナであるが、その上面部分はソリッド(solid)であろうアンテナで得られるであろう波長に対応する。正方形の形状の上部プレートは、容量性上面部分１２０を形成する。この上面部分は、λ／６の全幅を有する。カットアウトスロット１２２は、この正方形の辺のうちの３つに沿って完全に延びており、４番目の辺においてその端部からそれぞれ短い部分だけ延びている。
【００３６】
共振カットアウトスロットを有するこの第２のアンテナはまた、Ｃ形状のカットアウトスロットを有し、このＣは、この場合、正方形の上面部分を横断しかつ該上面部分を２等分する平面に関して完全に対称である。このＣ形状のカットアウトスロットは、約λｆ／２の全長を有する。
【００３７】
カットアウトスロット１２２は、容量性上面部分１２０の縁部に沿って延び、この縁部から一定の距離を維持している。従って、それは、内側に正方形を定め、外側に一定の幅のストリップ１２４を定める。
【００３８】
接地ワイヤ１６０および給電ワイヤ１５０は両方とも、アンテナに対して直交して、カットアウトスロット１２２の対称面内にて、内側の正方形１２６の実質的に中央に配置されている。
【００３９】
このようなアンテナは、波長λで共振を有し、また、ほぼ波長λｆ／２で共振（これは、特にカットアウトスロット１２２のせいである）を有する。従って、アンテナは２つの共振を有する。
【００４０】
接地ワイヤ１６０および給電ワイヤ１５０は、この場合、ダイヤグラムにおいて良好な対称性を維持するために、カットアウトスロット１２２の対称面を形成する２等分平面上に配置されている。
【００４１】
図４に示すように、このようなアンテナは等価なインピーダンスを有し、各々は、２つの周波数で２つのピークを示す。
【００４２】
より詳細には、図４に示すように、インプットインピーダンスの実数部および虚数部の両方は、各々、これらの２つの周波数に位置する２つのピークを有する。
【００４３】
図５に示すように、アンテナは、これらの２つの同じ周波数において同様に２つのピークを描く反射係数を有する。アンテナは、これらの２つの周波数で約−１６ｄＢの良好な反射係数を有する。従って、それは、デュアルバンドである。
【００４４】
図６〜９に示すように、図３のカットアウトスロットを有するアンテナは、２つの共振の各々で単極の放射パターンを実際有する。ゲインの最大値は約１．７ｄＢである。
【００４５】
わずかな非対称性が、第２の共振の仰角方向の放射パターン(elevation radiation pattern)で観察され、これは、ワイヤ１５０および１６０に直交する軸に関する（より詳細には、ワイヤの平面に対して垂直で、アンテナに対して垂直で、かつ、上部プレート１２０によって形成される正方形を２等分する平面に関する）スロットの非対称性のせいである。
【００４６】
このような非対称性は、例えば、前に提案したカットアウトスロット１２２の代わりに、カットアウトスロットの１つ以上のペアを採用することによって修正され得る。
【００４７】
従って、図１０は、容量性上面部分を形成し、かつ、２つのスロット１２２を有する上部プレート１２０を示し、各スロットはＣ形状であり、一方の開口部は他方の開口部と向かい合う。互いに向かい合うこれらの２つのＣ形状は、この場合も、それらの両方によってほぼ完全に取り囲まれている内側の容量性領域１２６を定める。それらはまた、一定の幅の外側ストリップ１２４を定める。
【００４８】
これらのＣ形状のカットアウトスロットの各々は、３つの直線分岐によって形成されており、各分岐は、プレート１２０によって形成される正方形の辺と平行である。従って、２つのカットアウトスロット１２２は、他方と完全に対称なものであり、各スロットはまた、それ自体に関して対称であり、このことによって、正方形を横断しかつその正方形を２等分する２つの平面に関して物理的に対称である上部プレート１２０が得られる。
【００４９】
給電ワイヤ１５０および戻りワイヤ１６０は、これらの２等分平面の１つに配置され得、これらの２つのワイヤの平面に関して対称である電気挙動が得られうる。
【００５０】
換言すれば、上面部分１２０上で同じ寸法の２つのカットアウトスロット１２２を切り出すことによって、２つの動作周波数バンドが維持されつつ、放射パターンが対称になる。
【００５１】
第１の動作バンドは、アンテナの波長λにかなりの程度対応し、このアンテナの容量性上面部分は、カットアウトスロット１２２によって取り囲まれた内側領域１２６によって形成され、他の動作周波数は、同じ寸法のカットアウトスロット１２２のせいで、λｆ／２（上記周波数の半分）に近い共振に対応する。
【００５２】
１つの変形例によれば、同様だが同一ではない寸法を有する、および／または同様だが同一ではない位置決め（ポジショニング）を有する、２つ（またはそれ以上）のカットアウトスロットが採用される。この変形例では、ワイヤプレートの共振に加えて、２つ（またはそれ以上）の共振ピークが得られる。これらの２つのピークは、互いに近接しているが、同一ではなく、部分的に重複しており、それによって、実際、内側領域１２６の有効動作周波数に付加的な広い周波数バンドが生じる。
【００５３】
さらに別の変形例によれば、他方に関して一方が延びており、かつ、ワイヤプレートの共振に関して付加的である２つ以上の明確に異なる共振を得るのに十分に異なる寸法を有する２つ以上のカットアウトスロットが採用される。
【００５４】
公知のアンテナの放射パターンと同様であるが、いくつかの異なる周波数バンドを有する放射パターンが得られる。
【００５５】
カットアウトスロットの目的は、いくつかの重なり合った（オーバーラップした）ワイヤプレートアンテナを作り出すことであり、各ワイヤプレートアンテナは、アンテナの、カットアウトスロットと境界を接する領域と、接地戻りとから（集合的にせよそうでないにせよ）実質的に形成される。
【００５６】
カットアウトスロットは、考慮した各ワイヤプレートアンテナの放射様式を変化させない。スロットは考慮した周波数での電磁共振のための部位ではないので、この様式は方位角が全方向性のままである。
【００５７】
前記の種々のアンテナは、種々の共振周波数で同様の分極を有する。
【００５８】
本明細書で提案した種々のアンテナは、公知のアンテナと同様のサイズでありつつ、従来のワイヤプレートアンテナの利点に加えて、１つ以上の新たな共振を示すという利点を提供する。
【００５９】
これらのアンテナは、例えば、整合したアンテナを作製するために使用することができ、これらのアンテナは、有利には、例えば、周波数が共に近いピークを有する（例えば、送受信のための）多帯域（マルチバンド）アンテナ、あるいは、互いに十分に密接に近いピークを有することによって広帯域（ワイドバンド）アンテナさえも形成する。
【００６０】
これらのアンテナは、移動電話、例えば、ＧＳＭ、ＤＣＳ、ＤＥＣＴのための、または建築物内での使用（屋内使用）のための、幾つかの周波数バンドの使用を可能とする。
【００６１】
得られる種々の周波数バンドは、アップリンクまたはダウンリンク経路のために、例えば、ＡＲＧＯＳタグでの送受信のために、使用することができる。このようなアンテナはまた、ＡＭＰＳ−ＰＣＳ１９００アプリケーションのために使用することができる。
【図面の簡単な説明】
【００６２】
【図１】図１は、公知のタイプのアンテナの斜視図である。
【図２】図２は、本発明の第１の実施態様に基づくアンテナの斜視図である。
【図３】図３は、本発明の第２の実施態様に基づくアンテナの上面図である。
【図４】図４は、図３のアンテナの等価なインピーダンスの実数部および虚数部の、周波数の関数としての変化を示す。
【図５】図５は、図３のアンテナの反射係数の、周波数の関数としての変化を示し、該変化において、整合の２つの領域を数えることができる。
【図６】図６は、図３のアンテナの第１の共振周波数での仰角方向の放射パターンである。
【図７】図７は、図３のアンテナの第１の共振周波数での方位角方向の放射パターン(azimuth radiation pattern)である。
【図８】図８は、図３のアンテナの第２の共振周波数での仰角方向の放射パターンである。
【図９】図９は、図３のアンテナの第２の共振周波数での方位角方向の放射パターンである。
【図１０】図１０は、本発明の第３の実施態様に基づくアンテナの容量性上面部分の上面図である。
【図１】
2004531152.tif 000004
【図２】
2004531152.tif 000005
【図３】
2004531152.tif 000006
【図４】
2004531152.tif 000007
【図５】
2004531152.tif 000008
【図６】
2004531152.tif 000009
【図７】
2004531152.tif 000010
【図８】
2004531152.tif 000011
【図９】
2004531152.tif 000012
【図１０】
2004531152.tif 000013
【国際公開パンフレット】
2004531152.tif 000014
2004531152.tif 000015
2004531152.tif 000016
2004531152.tif 000017
2004531152.tif 000018
2004531152.tif 000019
2004531152.tif 000020
2004531152.tif 000021
2004531152.tif 000022
2004531152.tif 000023
2004531152.tif 000024
2004531152.tif 000025
2004531152.tif 000026
2004531152.tif 000027
2004531152.tif 000028
2004531152.tif 000029
2004531152.tif 000030
2004531152.tif 000031
2004531152.tif 000032
2004531152.tif 000033
2004531152.tif 000034
2004531152.tif 000035
【国際調査報告】
2004531152.tif 000036
2004531152.tif 000037
2004531152.tif 000038
2004531152.tif 000039
2004531152.tif 000040
2004531152.tif 000041